(57)【要約】【課題】単一のヒートポンプを熱源として給湯と暖房の双方を行うヒートポンプシステムにおいて、省エネルギーを実現することが可能な技術を提供する。【解決手段】本明細書が開示するヒートポンプシステムは、冷媒を加圧する圧縮機と、暖房用熱媒および／または給湯用水との間の熱交換によって冷媒を凝縮させる凝縮器と、冷媒を減圧する膨張器と、冷媒を気化させる蒸発器を備えるヒートポンプと、暖房用熱媒を凝縮器と暖房端末のそれぞれに循環させる暖房機と、給水源からの給湯用水を貯湯槽へ蓄え、給湯用水を凝縮器と貯湯槽の間で循環させ、貯湯槽から給湯箇所へ給湯用水を供給する給湯機を備えている。そのヒートポンプシステムは、ヒートポンプを停止した状態で、暖房用熱媒を凝縮器に循環させ、かつ給湯用水を凝縮器に循環させて、凝縮器において暖房用熱媒から給湯用水への熱回収を行う、第１熱回収運転を実行可能である。【選択図】図２
2014156987.tif 000002
【特許請求の範囲】
【請求項１】
冷媒を加圧する圧縮機と、暖房用熱媒および／または給湯用水との間の熱交換によって冷媒を凝縮させる凝縮器と、冷媒を減圧する膨張器と、冷媒を気化させる蒸発器を備えるヒートポンプと、
暖房用熱媒を凝縮器と暖房端末のそれぞれに循環させる暖房機と、
給水源からの給湯用水を貯湯槽へ蓄え、給湯用水を凝縮器と貯湯槽の間で循環させ、貯湯槽から給湯箇所へ給湯用水を供給する給湯機を備えており、
ヒートポンプを停止した状態で、暖房用熱媒を凝縮器に循環させ、かつ給湯用水を凝縮器に循環させて、凝縮器において暖房用熱媒から給湯用水への熱回収を行う、第１熱回収運転を実行可能なヒートポンプシステム。
【請求項２】
ヒートポンプを作動させて、給湯用水を凝縮器に循環させて、凝縮器で加熱された給湯用水を貯湯槽に蓄える、蓄熱運転を実行可能であり、
蓄熱運転を開始する際に、凝縮器に送られる給湯用水の温度に比べて暖房用熱媒の温度が高い場合に、蓄熱運転に先立って第１熱回収運転を実行する、請求項１のヒートポンプシステム。
【請求項３】
暖房機が、浴槽に蓄えられた浴槽水と暖房用熱媒の間で熱交換する追い焚き熱交換器を備えており、
浴槽水を追い焚き熱交換器に循環させ、かつ暖房用熱媒を追い焚き熱交換器に循環させて、追い焚き熱交換器において浴槽水から暖房用熱媒への熱回収を行う、第２熱回収運転を実行可能な請求項１または２のヒートポンプシステム。
【請求項４】
ヒートポンプを作動させて、暖房用熱媒を凝縮器に循環させ、凝縮器で加熱された暖房用熱媒を暖房端末に循環させる、暖房運転を実行可能であり、
暖房運転を開始する際に、暖房用熱媒の温度に比べて浴槽水の温度が高い場合に、暖房運転に先立って第２熱回収運転を実行する、請求項３のヒートポンプシステム。
【請求項５】
冷媒を加圧する圧縮機と、暖房用熱媒との間の熱交換によって冷媒を凝縮させる凝縮器と、冷媒を減圧する膨張器と、冷媒を気化させる蒸発器を備えるヒートポンプと、
暖房用熱媒を、凝縮器と、暖房端末と、浴槽に蓄えられた浴槽水との間で熱交換する追い焚き熱交換器のそれぞれに循環させる暖房機を備えており、
浴槽水を追い焚き熱交換器に循環させ、かつ暖房用熱媒を追い焚き熱交換器に循環させて、追い焚き熱交換器において浴槽水から暖房用熱媒への熱回収を行う、第２熱回収運転と、ヒートポンプを作動させて、暖房用熱媒を凝縮器に循環させ、凝縮器で加熱された暖房用熱媒を暖房端末に循環させる、暖房運転を実行可能であり、
暖房運転を開始する際に、暖房用熱媒の温度に比べて浴槽水の温度が高い場合に、暖房運転に先立って第２熱回収運転を実行するヒートポンプシステム。
【請求項６】
浴槽からのユーザの出浴を検出する出浴検出手段をさらに備えており、
ユーザの出浴を検出したときに、暖房用熱媒の温度に比べて浴槽水の温度が高い場合に、第２熱回収運転を実行する、請求項３から５の何れか一項のヒートポンプシステム。
【請求項７】
浴槽に蓄えられた浴槽水の温度を下げる指示をユーザが入力可能な入力手段をさらに備えており、
浴槽に蓄えられた浴槽水の温度を下げる指示が入力されたときに、暖房用熱媒の温度に比べて浴槽水の温度が高い場合に、第２熱回収運転を実行する、請求項３から６の何れか一項のヒートポンプシステム。
【発明の詳細な説明】
【技術分野】
【０００１】
本発明は、ヒートポンプシステムに関する。
【背景技術】
【０００２】
特許文献１にはヒートポンプシステムが開示されている。そのヒートポンプシステムは、冷媒を加圧する圧縮機と、暖房用熱媒および／または給湯用水との間の熱交換によって冷媒を凝縮させる凝縮器と、冷媒を減圧する膨張器と、冷媒を気化させる蒸発器を備えるヒートポンプと、暖房用熱媒を凝縮器と暖房端末のそれぞれに循環させる暖房機と、給水源からの給湯用水を貯湯槽へ蓄え、給湯用水を凝縮器と貯湯槽の間で循環させ、貯湯槽から給湯箇所へ給湯用水を供給する給湯機を備えている。このヒートポンプシステムによれば、エネルギー効率の高いヒートポンプを熱源として、給湯に用いられる給湯用水の加熱を行うこともできるし、暖房に用いられる暖房用熱媒の加熱を行うこともできる。
【先行技術文献】
【特許文献】
【０００３】
【特許文献１】特開２００９−２９９９４２号公報
【発明の概要】
【発明が解決しようとする課題】
【０００４】
上記のようなヒートポンプシステムにおいて、暖房運転を実行した後には、暖房用熱媒が余熱を有している。この暖房用熱媒の余熱は、そのまま放置しておくと、自然放熱によって失われてしまう。暖房用熱媒の余熱を回収することができれば、より省エネルギーなヒートポンプシステムを実現することができる。
【０００５】
本明細書は、上記の課題を解決する技術を提供する。本明細書では、単一のヒートポンプを熱源として給湯と暖房の双方を行うヒートポンプシステムにおいて、省エネルギーを実現することが可能な技術を提供する。
【課題を解決するための手段】
【０００６】
本明細書はヒートポンプシステムを開示する。そのヒートポンプシステムは、冷媒を加圧する圧縮機と、暖房用熱媒および／または給湯用水との間の熱交換によって冷媒を凝縮させる凝縮器と、冷媒を減圧する膨張器と、冷媒を気化させる蒸発器を備えるヒートポンプと、暖房用熱媒を凝縮器と暖房端末のそれぞれに循環させる暖房機と、給水源からの給湯用水を貯湯槽へ蓄え、給湯用水を凝縮器と貯湯槽の間で循環させ、貯湯槽から給湯箇所へ給湯用水を供給する給湯機を備えている。そのヒートポンプシステムは、ヒートポンプを停止した状態で、暖房用熱媒を凝縮器に循環させ、かつ給湯用水を凝縮器に循環させて、凝縮器において暖房用熱媒から給湯用水への熱回収を行う、第１熱回収運転を実行可能である。
【０００７】
上記のヒートポンプシステムでは、第１熱回収運転を実行することによって、暖房用熱媒の余熱を給湯用水に回収して、貯湯槽に蓄えることができる。一般的に、貯湯槽には自然放熱を防ぐための各種の構造が採用されており、貯湯槽内の給湯用水からの自然放熱は暖房機内の暖房用熱媒からの自然放熱に比べて小さいものとなる。上記のヒートポンプシステムによれば、省エネルギーを実現することができる。また、上記のヒートポンプシステムでは、停止しているヒートポンプの凝縮器を利用して暖房用熱媒から給湯用水への熱回収を行っており、暖房用熱媒から給湯用水への熱回収のための熱交換器を別途設ける必要がない。少ない部品点数で、省エネルギーなヒートポンプシステムを実現することができる。
【０００８】
上記のヒートポンプシステムは、ヒートポンプを作動させて、給湯用水を凝縮器に循環させて、凝縮器で加熱された給湯用水を貯湯槽に蓄える、蓄熱運転を実行可能であり、蓄熱運転を開始する際に、凝縮器に送られる給湯用水の温度に比べて暖房用熱媒の温度が高い場合に、蓄熱運転に先立って第１熱回収運転を実行するように構成することができる。
【０００９】
上記のヒートポンプシステムによれば、貯湯槽への蓄熱が必要とされるタイミングで、暖房用熱媒から給湯用水に余熱を回収して、貯湯槽へ蓄えることができる。貯湯槽への蓄熱のために必要となるヒートポンプでの加熱量を低減し、省エネルギーを実現することができる。
【００１０】
上記のヒートポンプシステムは、暖房機が、浴槽に蓄えられた浴槽水と暖房用熱媒の間で熱交換する追い焚き熱交換器を備えており、浴槽水を追い焚き熱交換器に循環させ、かつ暖房用熱媒を追い焚き熱交換器に循環させて、追い焚き熱交換器において浴槽水から暖房用熱媒への熱回収を行う、第２熱回収運転を実行可能であるように構成することができる。
【００１１】
暖房機が追い焚き熱交換器を備えている場合、ヒートポンプを熱源とした浴槽水の追い焚きが可能となる。上記のヒートポンプシステムでは、第２熱回収運転を実行することによって、浴槽水の余熱を暖房用熱媒に回収することができ、さらに暖房用熱媒の余熱を給湯用水に回収して、貯湯槽に蓄えることができる。上記のヒートポンプシステムによれば、さらなる省エネルギーを実現することができる。
【００１２】
上記のヒートポンプシステムは、ヒートポンプを作動させて、暖房用熱媒を凝縮器に循環させ、凝縮器で加熱された暖房用熱媒を暖房端末に循環させる、暖房運転を実行可能であり、暖房運転を開始する際に、暖房用熱媒の温度に比べて浴槽水の温度が高い場合に、暖房運転に先立って第２熱回収運転を実行するように構成することができる。
【００１３】
上記のヒートポンプシステムによれば、暖房用熱媒の加熱が必要とされるタイミングで、浴槽水から暖房用熱媒に余熱を回収することができる。暖房運転のために必要となるヒートポンプでの加熱量を低減し、省エネルギーを実現することができる。
【００１４】
本明細書が開示する別のヒートポンプシステムは、冷媒を加圧する圧縮機と、暖房用熱媒との間の熱交換によって冷媒を凝縮させる凝縮器と、冷媒を減圧する膨張器と、冷媒を気化させる蒸発器を備えるヒートポンプと、暖房用熱媒を、凝縮器と、暖房端末と、浴槽に蓄えられた浴槽水との間で熱交換する追い焚き熱交換器のそれぞれに循環させる暖房機を備えている。そのヒートポンプシステムは、浴槽水を追い焚き熱交換器に循環させ、かつ暖房用熱媒を追い焚き熱交換器に循環させて、追い焚き熱交換器において浴槽水から暖房用熱媒への熱回収を行う、第２熱回収運転と、ヒートポンプを作動させて、暖房用熱媒を凝縮器に循環させ、凝縮器で加熱された暖房用熱媒を暖房端末に循環させる、暖房運転を実行可能である。そのヒートポンプシステムは、暖房運転を開始する際に、暖房用熱媒の温度に比べて浴槽水の温度が高い場合に、暖房運転に先立って第２熱回収運転を実行する。
【００１５】
上記のヒートポンプシステムによっても、暖房用熱媒の加熱が必要とされるタイミングで、浴槽水から暖房用熱媒に余熱を回収することができる。暖房運転のために必要となるヒートポンプでの加熱量を低減し、省エネルギーを実現することができる。
【００１６】
上記のヒートポンプシステムは、浴槽からのユーザの出浴を検出する出浴検出手段をさらに備えており、ユーザの出浴を検出したときに、暖房用熱媒の温度に比べて浴槽水の温度が高い場合に、第２熱回収運転を実行するように構成することができる。
【００１７】
上記のヒートポンプシステムによれば、ユーザの入浴直後に浴槽に残されている浴槽水の余熱を、暖房用熱媒に回収して有効利用することができる。省エネルギーを実現することができる。
【００１８】
上記のヒートポンプシステムは、浴槽に蓄えられた浴槽水の温度を下げる指示をユーザが入力可能な入力手段をさらに備えており、浴槽に蓄えられた浴槽水の温度を下げる指示が入力されたときに、暖房用熱媒の温度に比べて浴槽水の温度が高い場合に、第２熱回収運転を実行するように構成することができる。
【００１９】
上記のヒートポンプシステムによれば、浴槽に蓄えられた浴槽水の温度を低下させる場合に、浴槽水からの吸熱を暖房用熱媒に回収して有効利用することができる。省エネルギーを実現することができる。また、浴槽への差し湯によって浴槽水の温度を低下させる場合に比べて、水道水の使用量を節約することができる。
【発明の効果】
【００２０】
本明細書が開示する技術によれば、単一のヒートポンプを熱源として給湯と暖房の双方を行うヒートポンプシステムにおいて、省エネルギーを実現することができる。
【図面の簡単な説明】
【００２１】
【図１】実施例のヒートポンプシステム２の構成を模式的に示す図である。
【図２】蓄熱運転の開始に伴う暖房用水熱回収運転の開始判定のフローチャートである。
【図３】暖房運転の開始に伴う浴槽水熱回収運転の開始判定のフローチャートである。
【図４】ユーザの入浴後に行う浴槽水熱回収運転および暖房用水熱回収運転の開始判定のフローチャートである。
【図５】ぬる湯スイッチがオンされた場合に行う浴槽水熱回収運転および暖房用水熱回収運転の開始判定のフローチャートである。
【発明を実施するための形態】
【００２２】
（実施例）
図１は、本実施例のヒートポンプシステム２を示している。ヒートポンプシステム２は、タンクユニット４と、ヒートポンプユニット６と、熱源機ユニット８と、制御装置１００を備えている。
【００２３】
ヒートポンプユニット６は、ヒートポンプ５０と、給湯用水循環ポンプ２２と、外気温サーミスタ５５を備えている。ヒートポンプ５０は、冷媒（例えばＲ４１０ＡといったＨＦＣ冷媒や、Ｒ７４４といったＣＯ２冷媒）を循環させるための冷媒循環路５２と、空気熱交換器（蒸発器）５４と、ファン５６と、圧縮機６２と、三流体熱交換器５８と、膨張弁６０を備えるヒートポンプサイクルである。外気温サーミスタ５５は、外気温度を検出する。
【００２４】
空気熱交換器５４は、ファン５６によって送風された外気と冷媒循環路５２内の冷媒との間で熱交換させる。空気熱交換器５４には、膨張弁６０を通過後の低圧低温の液体状態にある冷媒が供給される。空気熱交換器５４は、冷媒と外気とを熱交換させることによって、冷媒を加熱する。冷媒は、加熱されることにより気化し、比較的高温で低圧の気体状態となる。
【００２５】
圧縮機６２には、空気熱交換器５４を通過後の冷媒が供給される。即ち、圧縮機６２には、比較的高温で低圧の気体状態の冷媒が供給される。圧縮機６２によって冷媒が圧縮されることにより、冷媒は高温高圧の気体状態となる。圧縮機６２は、圧縮後の高温高圧の気体状態の冷媒を、三流体熱交換器５８に送り出す。
【００２６】
三流体熱交換器５８には、圧縮機６２から送り出された高温高圧の気体状態の冷媒が供給される。三流体熱交換器５８は、冷媒循環路５２内の冷媒と、後述のタンク水循環路２０内の水（以下では給湯用水ともいう）との間で熱交換を行うことができる。さらに、三流体熱交換器５８は、冷媒循環路５２内の冷媒と、後述の第２暖房加熱路８４内の水（以下では暖房用水ともいう）との間で熱交換を行うことができる。冷媒は、三流体熱交換器５８での熱交換の結果、熱を奪われて凝縮する。これにより、冷媒は、比較的低温で高圧の液体状態となる。なお、三流体熱交換器５８では、タンク水循環路２０内の給湯用水と、第２暖房加熱路８４内の暖房用水の間でも熱交換が行われる。
【００２７】
膨張弁６０には、三流体熱交換器５８を通過後の比較的低温で高圧の液体状態の冷媒が供給される。冷媒は、膨張弁６０を通過することによって減圧され、低温低圧の液体状態となる。膨張弁６０を通過した冷媒は、上記の通り、空気熱交換器５４に送られる。
【００２８】
ヒートポンプ５０において、ファン５６と圧縮機６２を作動させると、冷媒循環路５２内の冷媒は、空気熱交換器５４、圧縮機６２、三流体熱交換器５８、膨張弁６０の順に循環する。この場合、三流体熱交換器５８において、タンク水循環路２０内の給湯用水、又は、第２暖房加熱路８４内の暖房用水が加熱される。
【００２９】
タンクユニット４は、タンク１０を備えている。タンク１０は、ヒートポンプ５０によって加熱された給湯用水を貯える。本実施例の給湯用水は、水道水である。タンク１０は、密閉型であり、断熱材によって外側が覆われている。タンク１０内には満水まで給湯用水が貯留される。タンク１０には、頂部から所定水位の箇所に複数のタンクサーミスタ１０ａ、１０ｂ、１０ｃが設けられている。タンクサーミスタ１０ａ、１０ｂ、１０ｃは、それぞれの水位におけるタンク１０の内部の給湯用水の温度を検出する。また、タンク１０の頂部には、タンク１０の頂部における給湯用水の温度を検出するタンク頂部サーミスタ１０ｄが設けられている。
【００３０】
タンク水循環路２０は、タンク１０の下部と三流体熱交換器５８の間を接続するタンク水往路２０ａと、三流体熱交換器５８と切替弁２１の間を接続するタンク水復路２０ｂと、切替弁２１とタンク１０の上部の間を接続する高温水復路２３ａと、切替弁２１とタンク１０の中間部の間を接続する低温水復路２３ｂを備えている。タンク水往路２０ａには、ヒートポンプユニット６の給湯用水循環ポンプ２２と、内部を通過する給湯用水の温度を検出する給湯用水往きサーミスタ２６ａが介装されている。タンク水復路２０ｂには、内部を通過する給湯用水の温度を検出する給湯用水戻りサーミスタ２６ｂが介装されている。切替弁２１は、低温水復路２３ｂを遮断し、タンク水復路２０ｂと高温水復路２３ａを連通する状態と、高温水復路２３ａを遮断し、タンク水復路２０ｂと低温水復路２３ｂを連通する状態の間で切り替わる。ヒートポンプユニット６において、ヒートポンプ５０を作動させて、給湯用水循環ポンプ２２を駆動すると、タンク１０の下部の給湯用水がタンク水往路２０ａを経由して三流体熱交換器５８に送られて、加熱される。加熱された給湯用水は、タンク水復路２０ｂを経由して、高温水復路２３ａまたは低温水復路２３ｂへ送られて、タンク１０の上部または中間部に戻される。タンク１０の内部には、低温の給湯用水の層の上に高温の給湯用水の層が積み重なった温度成層が形成される。
【００３１】
水道水導入路２４は、上流端がヒートポンプシステム２の外部の水道水供給源３２に接続されている。水道水導入路２４には、水道水の給水温度を検出する給水サーミスタ２８が介装されている。水道水導入路２４の下流側は、第１導入路２４ａと第２導入路２４ｂに分岐している。第１導入路２４ａの下流端は、タンク１０の下部に接続されている。第２導入路２４ｂの下流端は、第１給湯路３６の途中に接続されている。
【００３２】
第１給湯路３６は、上流端がタンク１０の上部に接続されている。上述したように、第１給湯路３６の途中には、水道水導入路２４の第２導入路２４ｂが接続されている。第１給湯路３６と第２導入路２４ｂの接続部には、混合弁３０が介装されている。混合弁３０は、タンク１０の上部から第１給湯路３６へ流入する高温の給湯用水の流量と、第２導入路２４ｂから第１給湯路３６へ流入する低温の水道水の流量の割合を調整する。混合弁３０より下流側の第１給湯路３６には、混合弁３０で混合した後の給湯用水の温度を検出する混合サーミスタ３６ａが介装されている。混合弁３０より下流側の第１給湯路３６は、熱源機ユニット８の給湯加熱路３７を通過して、第２給湯路３９へ接続している。第１給湯路３６と第２給湯路３９の間は、熱源機バイパス路３３によって接続されている。熱源機バイパス路３３にはバイパス弁３４が介装されている。第２給湯路３９の下流端は給湯栓３８に接続されている。第２給湯路３９には、給湯栓３８に供給される給湯用水の温度を検出する給湯サーミスタ３９ａが介装されている。
【００３３】
熱源機ユニット８は、シスターン７０と、暖房用バーナ８２と、給湯用バーナ８１を備えている。シスターン７０は、上部が開放されている容器であり、内部に暖房用水を貯留している。本実施例の暖房用水は例えば水または不凍液である。シスターン７０には、暖房往路７２の上流端が接続されている。暖房往路７２には、暖房用水循環ポンプ７４と、暖房往路７２の内部を通過する暖房用水の温度を検出する低温暖房サーミスタ７２ａが介装されている。暖房用水循環ポンプ７４を駆動すると、シスターン７０内の暖房用水が暖房往路７２に流れ込む。
【００３４】
暖房往路７２の下流端は、第１暖房加熱路７３と、低温暖房循環路７５に分岐している。低温暖房循環路７５には、低温暖房機７８が取り付けられる。低温暖房機７８は、比較的低温の暖房用水を熱源として利用する暖房機器であって、例えば床暖房機などである。低温暖房機７８としては、所望の台数の低温暖房機を取り付けることができる。低温暖房循環路７５には、低温暖房機７８をバイパスして暖房用水を流すための暖房バイパス路７８ａが設けられている。暖房バイパス路７８ａには、バイパス弁７８ｂが介装されている。低温暖房循環路７５の下流端は、第２暖房加熱路８４の上流端へ接続している。第２暖房加熱路８４の下流端は、ヒートポンプユニット６の三流体熱交換器５８を介して、暖房復路９６の上流端へ接続している。暖房復路９６は、下流端が熱源機ユニット８のシスターン７０に接続している。
【００３５】
第１暖房加熱路７３には、暖房用バーナ８２が介装されている。暖房用バーナ８２は、第１暖房加熱路７３内の暖房用水を加熱する。暖房用バーナ８２より下流側の第１暖房加熱路７３には、内部を通過する暖房用水の温度を検出する高温暖房サーミスタ７３ａが介装されている。第１暖房加熱路７３の下流端は、高温暖房循環路７７と追い焚き循環路７９に分岐している。高温暖房循環路７７には、高温暖房機７６が取り付けられる。高温暖房機７６は、比較的高温の暖房用水を熱源として利用する暖房機器であって、例えば浴室暖房乾燥機などである。高温暖房機７６としては、所望の台数の高温暖房機を取り付けることができる。高温暖房循環路７７の下流端は、暖房復路９６の上流端へ接続している。
【００３６】
第２暖房加熱路８４と暖房復路９６の間は、ＨＰバイパス路８６によって接続されている。第２暖房加熱路８４とＨＰバイパス路８６の接続部には、混合弁８８が介装されている。混合弁８８は、第２暖房加熱路８４から三流体熱交換器５８を経由して暖房復路９６へ流入する暖房用水の流量と、第２暖房加熱路８４からＨＰバイパス路８６を経由して暖房復路９６へ流入する暖房用水の流量の割合を調整する。
【００３７】
追い焚き循環路７９には、追い焚き熱動弁８３と、追い焚き熱交換器９７が介装されている。追い焚き熱動弁８３は、追い焚き循環路７９を開閉する。追い焚き熱交換器９７では、追い焚き循環路７９を流れる暖房用水と、浴槽水循環路９１を流れる浴槽水の間で熱交換が行われる。追い焚き循環路７９の下流端は、暖房復路９６に接続している。
【００３８】
浴槽水循環路９１の上流端は、浴槽９８の底部に接続している。浴槽水循環路９１の下流端は、浴槽９８の側部に接続している。浴槽水循環路９１には、浴槽水循環ポンプ９９が介装されている。浴槽水循環ポンプ９９が駆動すると、浴槽９８の底部から吸い出された浴槽水が、追い焚き熱交換器９７を通過して、浴槽９８の側部へ戻される。追い焚き熱交換器９７より上流側の浴槽水循環路９１には、内部を通過する浴槽水の温度を検出する浴槽水戻りサーミスタ９１ａが介装されている。追い焚き熱交換器９７より下流側の浴槽水循環路９１には、内部を通過する浴槽水の温度を検出する浴槽水往きサーミスタ９１ｂが介装されている。また、浴槽水循環路９１には、浴槽９８の水位を検出する水位センサ９１ｃが介装されている。
【００３９】
給湯加熱路３７には、給湯用バーナ８１が介装されている。給湯用バーナ８１よりも下流側の給湯加熱路３７には、内部を通過する給湯用水の温度を検出する出湯サーミスタ３７ａが介装されている。給湯加熱路３７の給湯用バーナ８１よりも下流側から、浴槽注湯路４０が分岐している。浴槽注湯路４０には、浴槽注湯路４０を開閉する注湯電磁弁４２が介装されている。浴槽注湯路４０の下流端は、浴槽水循環ポンプ９９に接続している。
【００４０】
制御装置１００は、タンクユニット４、ヒートポンプユニット６、熱源機ユニット８の各構成要素の動作を制御する。
【００４１】
ヒートポンプシステム２は、以下のような各種の運転を実行することができる。
【００４２】
（蓄熱運転）
蓄熱運転では、タンク１０内の給湯用水をヒートポンプ５０で加熱し、高温となった給湯用水をタンク１０に戻す。蓄熱運転を実行する際には、制御装置１００は圧縮機６２およびファン５６を駆動してヒートポンプ５０を作動させる。それとともに、切替弁２１をタンク水復路２０ｂと高温水復路２３ａが連通する状態に切り替え、給湯用水循環ポンプ２２を駆動する。
【００４３】
圧縮機６２の駆動により、冷媒循環路５２内の冷媒は、空気熱交換器５４、圧縮機６２、三流体熱交換器５８、膨張弁６０の順に循環する。この場合、三流体熱交換器５８を通過する冷媒循環路５２内の冷媒は、高温高圧の気体状態である。また、給湯用水循環ポンプ２２の駆動により、タンク水循環路２０内をタンク１０内の給湯用水が循環する。即ち、タンク１０の下部に存在する給湯用水がタンク水循環路２０内に導入され、導入された給湯用水が三流体熱交換器５８を通過する際に、冷媒循環路５２内の冷媒の熱によって加熱され、加熱された給湯用水がタンク１０の上部に戻される。これにより、タンク１０に高温の給湯用水が貯められる。タンク１０の内部が高温の給湯用水で満たされた満蓄状態となると、蓄熱運転を終了する。
【００４４】
（給湯運転）
給湯運転は、タンク１０内の給湯用水を給湯栓３８に供給する運転である。給湯運転は、上記の蓄熱運転と並行して行うこともできる。給湯栓３８が開かれると、水道水供給源３２からの水圧によって、水道水導入路２４（第１導入路２４ａ）からタンク１０の下部に水道水が流入する。同時に、タンク１０上部の給湯用水が、第１給湯路３６を介して給湯栓３８に供給される。
【００４５】
制御装置１００は、タンク１０から第１給湯路３６に供給される給湯用水の温度が、給湯設定温度より高い場合には、混合弁３０を駆動して第２導入路２４ｂから第１給湯路３６に水道水を導入する。従って、タンク１０から供給された給湯用水と第２導入路２４ｂから供給された水道水とが、第１給湯路３６内で混合される。制御装置１００は、給湯栓３８に供給される給湯用水の温度が、給湯設定温度と一致するように、混合弁３０の開度を調整する。一方、制御装置１００は、タンク１０から第１給湯路３６に供給される給湯用水の温度が、給湯設定温度より低い場合には、給湯用バーナ８１によって第１給湯路３６を通過する水を加熱する。制御装置１００は、給湯栓３８に供給される給湯用水の温度が、給湯設定温度と一致するように、給湯用バーナ８１の出力を制御する。
【００４６】
（暖房運転）
暖房運転は、ヒートポンプ５０によって暖房用水を加熱し、高温となった暖房用水を用いて低温暖房機７８や高温暖房機７６によって暖房する運転である。ユーザによって暖房運転の実行が指示されると、制御装置１００は、暖房用水循環ポンプ７４を回転させる。さらに、制御装置１００は、圧縮機６２およびファン５６を駆動する。これによって、三流体熱交換器５８で加熱された暖房用水が、シスターン７０を経て、低温暖房機７８や高温暖房機７６に供給される。さらに、制御装置１００は、必要に応じて暖房用バーナ８２を作動する。これにより、高温暖房機７６には、暖房用バーナ８２での加熱によってさらに高温となった暖房用水が供給される。暖房運転においては、低温暖房機７８に供給される暖房用水の温度が低温暖房設定温度となるように、また高温暖房機７６に供給される暖房用水の温度が高温暖房設定温度となるように、ヒートポンプ５０の動作や、暖房用バーナ８２の出力が調整される。
【００４７】
稼働する低温暖房機７８および高温暖房機７６の台数が多くなると、それだけ暖房用水循環ポンプ７４の負荷が増大する。そこで、本実施例では、稼働する低温暖房機７８および高温暖房機７６の台数に応じて混合弁８８の開度を調整し、稼働する低温暖房機７８および高温暖房機７６の台数が多いほど、ＨＰバイパス路８６に流れる暖房用水の割合を増加させる。ＨＰバイパス路８６に流れる暖房用水の割合が増加すると、圧損の高い三流体熱交換器５８を流れる暖房用水の割合が低減し、暖房用水循環ポンプ７４の負荷が軽減される。このような構成とすることで、稼働する低温暖房機７８および高温暖房機７６の台数が多くなる場合でも、暖房用水循環ポンプ７４の負荷の増大を抑制することができる。
【００４８】
（湯はり運転）
湯はり運転は浴槽９８に湯はりをする運転である。ユーザが湯はり運転の開始を指示すると、ヒートポンプシステム２は湯はり運転を開始する。湯はり運転においては、注湯電磁弁４２を開く。注湯電磁弁４２が開くと、水道水供給源３２からの水圧によって、水道水導入路２４（第１導入路２４ａ）からタンク１０の下部に水道水が流入する。同時に、タンク１０上部の給湯用水が、第１給湯路３６、浴槽注湯路４０、浴槽水循環路９１を介して浴槽９８に供給される。湯はり運転においては、給湯運転と同様にして、浴槽注湯路４０に供給される水の温度を湯はり設定温度に調整する。浴槽９８に供給される水の水量が湯はり設定水量に達すると、湯はり運転を終了する。
【００４９】
（追い焚き運転）
追い焚き運転は、浴槽９８に貯められた浴槽水を追い焚きする運転である。ユーザが追い焚き運転の開始を指示すると、ヒートポンプシステム２は追い焚き運転を開始する。追い焚き運転においては、浴槽水循環ポンプ９９を駆動する。また、追い焚き熱動弁８３を開いて、暖房用水循環ポンプ７４を駆動する。これにより、浴槽９８の底部から浴槽水が吸い出されて、追い焚き熱交換器９７で暖房用水との熱交換によって加熱される。加熱された浴槽水は、浴槽９８の側部へ戻される。追い焚き運転においては、暖房用バーナ８２による暖房用水の加熱が行われる。
【００５０】
（暖房用水熱回収運転）
暖房運転や追い焚き運転を実行した後には、シスターン７０、暖房往路７２、第１暖房加熱路７３、低温暖房循環路７５、高温暖房循環路７７、追い焚き循環路７９、第２暖房加熱路８４、暖房復路９６等の暖房回路の内部に、余熱を有する暖房用水が滞留する。この暖房用水の余熱は、そのまま放置しておくと、自然放熱によって失われてしまう。本実施例のヒートポンプシステム２では、暖房用水熱回収運転を実行することで、暖房用水の余熱を給湯用水に回収して、タンク１０に蓄熱することができる。
【００５１】
暖房用水熱回収運転では、制御装置１００は、ヒートポンプ５０を停止した状態（すなわち、圧縮機６２、ファン５６が停止した状態）で、バイパス弁７８ｂを開き、第２暖房加熱路８４の暖房用水の全量が三流体熱交換器５８へ流れるように混合弁８８の開度を調整して、暖房用水循環ポンプ７４を駆動する。これによって、シスターン７０の暖房用水が、三流体熱交換器５８を通過して、シスターン７０へ戻るように循環する。さらに、制御装置１００は、給湯用水循環ポンプ２２を駆動する。これによって、タンク１０の下部の給湯用水が、三流体熱交換器５８を通過して、タンク１０の上部または中間部へ戻るように循環する。三流体熱交換器５８での給湯用水と暖房用水の間の熱交換によって、給湯用水は加熱され、暖房用水は冷却される。給湯用水戻りサーミスタ２６ｂの検出温度がタンクサーミスタ１０ｃの検出温度よりも高い場合には、切替弁２１をタンク水復路２０ｂと高温水復路２３ａが連通する状態に切り替えて、三流体熱交換器５８からの給湯用水をタンク１０の上部に流入させる。給湯用水戻りサーミスタ２６ｂの検出温度がタンクサーミスタ１０ｃの検出温度よりも低い場合には、切替弁２１をタンク水復路２０ｂと低温水復路２３ｂが連通する状態に切り替えて、三流体熱交換器５８からの給湯用水をタンク１０の中間部に流入させる。このような構成とすることによって、タンク１０の温度成層を維持したまま、暖房用水の余熱を給湯用水に回収して、タンク１０に蓄熱することができる。
【００５２】
（浴槽水熱回収運転）
ユーザの入浴後、浴槽９８には余熱を有する浴槽水が残存する。この浴槽水の余熱は、そのまま放置しておくと、自然放熱によって失われてしまう。本実施例のヒートポンプシステム２では、浴槽水熱回収運転を実行することで、浴槽水の余熱を暖房用水に回収することができる。
【００５３】
浴槽水熱回収運転では、制御装置１００は、浴槽水循環ポンプ９９を駆動する。これによって、浴槽９８の浴槽水が、追い焚き熱交換器９７を通過して、浴槽９８へ戻るように循環する。さらに、制御装置１００は、追い焚き熱動弁８３を開いて、暖房用水循環ポンプ７４を駆動する。これによって、シスターン７０の暖房用水が、追い焚き熱交換器９７を通過して、シスターン７０へ戻るように循環する。追い焚き熱交換器９７での暖房用水と浴槽水の間の熱交換によって、暖房用水は加熱され、浴槽水は冷却される。このような構成とすることによって、浴槽水の余熱を暖房用水に回収することができる。浴槽水から暖房用水に回収した余熱は、その後の暖房運転に利用することができる。あるいは、さらに上述した暖房用水熱回収運転を実行して、浴槽水から暖房用水に回収した余熱を、給湯用水に回収して、タンク１０に蓄熱することも可能である。
【００５４】
（熱回収運転の開始判定）
ヒートポンプシステム２は、上記した暖房用水熱回収運転および浴槽水熱回収運転を実行可能な場合に、自動的にこれらの熱回収運転を実行する運転モードと、ユーザに熱回収運転の要否を問い合わせる運転モードと、熱回収運転を常に実行しない運転モードの何れかで動作することができる。ヒートポンプシステム２をどの運転モードで動作させるかは、ユーザが予め制御装置１００に接続されたリモコン等を介して選択しておくことができる。以下では、自動的に熱回収運転を実行する運転モード、あるいはユーザに熱回収運転の要否を問い合わせる運転モードが選択されている場合に、制御装置１００が熱回収運転の開始判定を行う種々の態様について説明する。
【００５５】
図２は、蓄熱運転の開始に伴う、暖房用水熱回収運転の開始判定フローを示している。
【００５６】
ステップＳ２０２では、制御装置１００が、蓄熱運転の指示があるまで待機する。蓄熱運転の指示があると（ステップＳ２０２でＹＥＳとなると）、処理はステップＳ２０４へ進む。
【００５７】
ステップＳ２０４では、制御装置１００が、暖房用水熱回収運転が可能であるか否かを判断する。暖房用水熱回収運転の可否の判断は、暖房用水循環ポンプ７４を駆動して、高温暖房サーミスタ７３ａの検出温度を取得し、タンクサーミスタ１０ｃの検出温度を取得して、両者を比較することによって行う。制御装置１００は、高温暖房サーミスタ７３ａの検出温度がタンクサーミスタ１０ｃの検出温度よりも所定温度以上高い場合に、暖房用水熱回収運転が可能であると判断する。暖房用水熱回収運転が可能と判断される場合（ステップＳ２０４でＹＥＳの場合）、処理はステップＳ２０６へ進む。暖房用水熱回収運転が可能ではないと判断される場合（ステップＳ２０４でＮＯの場合）、処理はステップＳ２１４へ進み、暖房用水熱回収運転を行うことなく、蓄熱運転を実行する。
【００５８】
ステップＳ２０６では、制御装置１００が、暖房用水熱回収運転の実行について、ユーザに問い合わせを行うか否かを判断する。本実施例では、ヒートポンプシステム２がユーザに熱回収運転の要否を問い合わせる運転モードで動作している場合には、ユーザへの問い合わせを行い、ヒートポンプシステム２が自動的に熱回収運転を実行する運転モードで動作している場合には、ユーザへの問い合わせを行わない。ユーザに問い合わせを行う場合（ステップＳ２０６でＹＥＳの場合）、処理はステップＳ２０８へ進む。ユーザに問い合わせを行わない場合（ステップＳ２０６でＮＯの場合）、処理はステップＳ２１２へ進み、ユーザへの問い合わせを行うことなく、暖房用水熱回収運転を実行する。
【００５９】
ステップＳ２０８では、制御装置１００が、暖房用水熱回収運転を実行するか否か、ユーザに対して問い合わせを行う。一般に、蓄熱運転に先立って暖房用水熱回収運転を行う場合、暖房用水熱回収運転を行わずに蓄熱運転を行う場合に比べて、タンク１０への蓄熱が完了するまでの時間は遅くなってしまう。そのため、本実施例のヒートポンプシステム２では、暖房用水熱回収運転を行う場合と暖房用水熱回収運転を行わない場合の双方について、タンク１０への蓄熱が完了する予定時刻を推定して、リモコンを介してユーザに報知する。そして、暖房用水熱回収運転を実行する旨の指示、あるいは暖房用水熱回収運転を中止する旨の指示を入力するように、リモコンを介してユーザに促す。タンク１０への蓄熱が完了する予定時刻は、現在時刻と、暖房用水熱回収運転の所要時間と、蓄熱運転の所要時間から推定される。暖房用水熱回収運転の所要時間は、暖房回路における暖房用水の容量、高温暖房サーミスタ７３ａの検出温度、給水サーミスタ２８の検出温度等に基づいて算出される。蓄熱運転の所要時間は、タンク１０における給湯用水の容量、外気温サーミスタ５５の検出温度、給水サーミスタ２８の検出温度等に基づいて算出される。
【００６０】
ステップＳ２１０では、制御装置１００が、所定時間内に暖房用水熱回収運転を中止する旨の指示が入力されたか否かを判断する。本実施例のヒートポンプシステム２では、ユーザから暖房用水熱回収運転を実行する旨の指示が入力された場合に加えて、所定時間内にユーザから何れの指示も入力されない場合についても、暖房用水熱回収運転を実行する。所定時間内に暖房用水熱回収運転を中止する指示があった場合（ステップＳ２１０でＹＥＳの場合）、処理はステップＳ２１４へ進み、暖房用水熱回収運転を行うことなく、蓄熱運転を実行する。所定時間内に暖房用水熱回収運転を中止する指示がない場合（ステップＳ２１０でＮＯの場合）、処理はステップＳ２１２へ進む。
【００６１】
ステップＳ２１２では、制御装置１００が、暖房用水熱回収運転を実行する。これによって、暖房用水の余熱が給湯用水へ回収されて、タンク１０へ蓄熱される。暖房用水熱回収運転が終了すると、処理はステップＳ２１４へ進む。
【００６２】
ステップＳ２１４では、制御装置１００が、蓄熱運転を実行する。これによって、ヒートポンプ５０を加熱源として用いたタンク１０への蓄熱が行われる。
【００６３】
なお、図２に示す例では、蓄熱運転の開始時に暖房用水熱回収運転の開始判定を行う構成について説明したが、例えば、暖房運転や追い焚き運転の終了時に、暖房用水熱回収運転の開始判定を行う構成としてもよい。このような構成とすることで、暖房運転や追い焚き運転の直後の暖房用水の余熱を自然放熱させてしまうことなく、タンク１０へ蓄熱することができる。
【００６４】
図３は、暖房運転の開始に伴う、浴槽水熱回収運転の開始判定フローを示している。
【００６５】
ステップＳ３０２では、制御装置１００が、暖房運転の指示があるまで待機する。暖房運転の指示があると（ステップＳ３０２でＹＥＳとなると）、処理はステップＳ３０４へ進む。
【００６６】
ステップＳ３０４では、制御装置１００が、浴槽水熱回収運転が可能であるか否かを判断する。浴槽水熱回収運転の可否の判断は、暖房用水循環ポンプ７４を駆動して、高温暖房サーミスタ７３ａの検出温度を取得し、浴槽水循環ポンプ９９を駆動して、浴槽水戻りサーミスタ９１ａの検出温度を取得して、両者を比較することによって行う。制御装置１００は、浴槽水戻りサーミスタ９１ａの検出温度が高温暖房サーミスタ７３ａの検出温度よりも所定温度以上高い場合に、浴槽水熱回収運転が可能であると判断する。浴槽水熱回収運転が可能と判断される場合（ステップＳ３０４でＹＥＳの場合）、処理はステップＳ３０６へ進む。浴槽水熱回収運転が可能ではないと判断される場合（ステップＳ３０４でＮＯの場合）、処理はステップＳ３１４へ進み、浴槽水熱回収運転を行うことなく、暖房運転を実行する。
【００６７】
ステップＳ３０６では、制御装置１００が、浴槽水熱回収運転の実行について、ユーザに問い合わせを行うか否かを判断する。本実施例では、ヒートポンプシステム２がユーザに熱回収運転の要否を問い合わせる運転モードで動作している場合には、ユーザへの問い合わせを行い、ヒートポンプシステム２が自動的に熱回収運転を実行する運転モードで動作している場合には、ユーザへの問い合わせを行わない。ユーザに問い合わせを行う場合（ステップＳ３０６でＹＥＳの場合）、処理はステップＳ３０８へ進む。ユーザに問い合わせを行わない場合（ステップＳ３０６でＮＯの場合）、処理はステップＳ３１２へ進み、ユーザへの問い合わせを行うことなく、浴槽水熱回収運転を実行する。
【００６８】
ステップＳ３０８では、制御装置１００が、浴槽水熱回収運転を実行するか否か、ユーザに対して問い合わせを行う。一般に、暖房運転に先立って浴槽水熱回収運転を行う場合、浴槽水熱回収運転を行わずに暖房運転を行う場合に比べて、暖房温度の立ち上がりが遅くなってしまう。そのため、本実施例のヒートポンプシステム２では、浴槽水熱回収運転の所要時間を算出して、リモコンを介してユーザに報知する。そして、浴槽水熱回収運転を実行する旨の指示、あるいは浴槽水熱回収運転を中止する旨の指示を入力するように、リモコンを介してユーザに促す。浴槽水熱回収運転の所要時間は、浴槽９８における浴槽水の容量、浴槽水戻りサーミスタ９１ａの検出温度、高温暖房サーミスタ７３ａの検出温度等に基づいて算出される。
【００６９】
ステップＳ３１０では、制御装置１００が、所定時間内に浴槽水熱回収運転を中止する旨の指示が入力されたか否かを判断する。本実施例のヒートポンプシステム２では、ユーザから浴槽水熱回収運転を実行する旨の指示が入力された場合に加えて、所定時間内にユーザから何れの指示の入力もされない場合についても、浴槽水熱回収運転を実行する。所定時間内に浴槽水熱回収運転を中止する指示があった場合（ステップＳ３１０でＹＥＳの場合）、処理はステップＳ３１４へ進み、浴槽水熱回収運転を行うことなく、暖房運転を実行する。所定時間内に浴槽水熱回収運転を中止する指示がない場合（ステップＳ３１０でＮＯの場合）、処理はステップＳ３１２へ進む。
【００７０】
ステップＳ３１２では、制御装置１００が、浴槽水熱回収運転を実行する。これによって、浴槽水の余熱が暖房用水へ回収されて、その後の暖房運転に利用することができる。浴槽水熱回収運転が終了すると、処理はステップＳ３１４へ進む。
【００７１】
ステップＳ３１４では、制御装置１００が、暖房運転を実行する。これによって、暖房が行われる。
【００７２】
図４は、ユーザの入浴後に行う、浴槽水熱回収運転および暖房用水熱回収運転の開始判定フローを示している。
【００７３】
ステップＳ４０２では、制御装置１００が、ユーザの出浴を検出するまで待機する。ユーザの出浴は、例えば水位センサ９１ｃの検出水量の変動に基づいて、検出することができる。ユーザの出浴を検出すると（ステップＳ４０２でＹＥＳとなると）、処理はステップＳ４０４へ進む。
【００７４】
ステップＳ４０４では、制御装置１００が、浴槽水熱回収運転が可能であるか否かを判断する。浴槽水熱回収運転が可能と判断される場合（ステップＳ４０４でＹＥＳの場合）、処理はステップＳ４０６へ進む。浴槽水熱回収運転が可能ではないと判断される場合（ステップＳ４０４でＮＯの場合）、処理はステップＳ４０８へ進む。
【００７５】
ステップＳ４０６では、浴槽水熱回収運転を実行する。これによって、浴槽水の余熱が暖房用水へ回収される。浴槽水熱回収運転が終了すると、処理はステップＳ４０８へ進む。
【００７６】
ステップＳ４０８では、制御装置１００が、暖房用水熱回収運転が可能であるか否かを判断する。暖房用水熱回収運転が可能と判断される場合（ステップＳ４０８でＹＥＳの場合）、処理はステップＳ４１０へ進む。暖房用水熱回収運転が可能ではないと判断される場合（ステップＳ４０８でＮＯの場合）、図４の処理を終了する。
【００７７】
ステップＳ４１０では、制御装置１００が、暖房用水熱回収運転を実行する。これによって、暖房用水の余熱が給湯用水へ回収されて、タンク１０へ蓄熱される。暖房用水熱回収運転が終了すると、図４の処理を終了する。
【００７８】
図４に示す処理によれば、ユーザが出浴すると、自動的に浴槽水から暖房用水へ余熱を回収し、さらに暖房用水から給湯用水へ余熱を回収して、タンク１０へ蓄熱することができる。なお、図４では、ユーザへの問い合わせに関する処理を示していないが、図２および図３に示す処理と同様に、ユーザへの問い合わせを行う構成としてもよい。
【００７９】
図５は、ユーザがぬる湯スイッチをオンした場合に行う、浴槽水熱回収運転および暖房用水熱回収運転の開始判定フローを示している。ここでいうぬる湯スイッチとは、リモコンに設けられており、ユーザが浴槽９８に蓄えられている浴槽水の温度を低下させたい場合に操作するスイッチである。
【００８０】
ステップＳ５０２では、制御装置１００が、ぬる湯スイッチがオンされるまで待機する。ぬる湯スイッチがオンされると（ステップＳ５０２でＹＥＳとなると）、処理はステップＳ５０４へ進む。
【００８１】
ステップＳ５０４では、制御装置１００が、浴槽水熱回収運転が可能であるか否かを判断する。浴槽水熱回収運転が可能と判断される場合（ステップＳ５０４でＹＥＳの場合）、処理はステップＳ５０６へ進み、浴槽水熱回収運転を実行する。浴槽水熱回収運転を実行することで、浴槽水から暖房用水へ熱回収が行われ、浴槽９８に蓄えられている浴槽水の温度が低下する。浴槽水熱回収運転が可能ではないと判断される場合（ステップＳ５０４でＮＯの場合）、処理はステップＳ５０８へ進み、差し湯運転を実行する。ステップＳ５０８で実行する差し湯運転では、浴槽９８に蓄えられている浴槽水よりも低温の給湯用水を、所定水量だけ浴槽９８に給湯することで、浴槽９８に蓄えられている浴槽水の温度が低下する。
【００８２】
ステップＳ５１０では、制御装置１００が、暖房用水熱回収運転が可能であるか否かを判断する。暖房用水熱回収運転が可能と判断される場合（ステップＳ５１０でＹＥＳの場合）、処理はステップＳ５１２へ進む。暖房用水熱回収運転が可能ではないと判断される場合（ステップＳ５１０でＮＯの場合）、図５の処理を終了する。
【００８３】
ステップＳ５１２では、制御装置１００が、暖房用水熱回収運転を実行する。これによって、暖房用水の余熱が給湯用水へ回収されて、タンク１０へ蓄熱される。暖房用水熱回収運転が終了すると、図５の処理を終了する。
【００８４】
図５に示す処理によれば、ユーザがぬる湯スイッチをオンすると、浴槽水から暖房用水への熱回収によって、浴槽９８の浴槽水の温度を低下させることができる。浴槽９８への差し湯によって浴槽水の温度を低下させる場合に比べて、水道水の使用量を節約し、かつ省エネルギーを実現することができる。なお、図５では、ユーザへの問い合わせに関する処理を示していないが、図２および図３に示す処理と同様に、ユーザへの問い合わせを行う構成としてもよい。
【００８５】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００８６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８７】
２  ヒートポンプシステム
４  タンクユニット
６  ヒートポンプユニット
８  熱源機ユニット
１０  タンク
１０ａ、１０ｂ、１０ｃ  タンクサーミスタ
２０  タンク水循環路
２０ａ  タンク水往路
２０ｂ  タンク水復路
２１  切替弁
２２  給湯用水循環ポンプ
２３ａ  高温水復路
２３ｂ  低温水復路
２４  水道水導入路
２４ａ  第１導入路
２４ｂ  第２導入路
２６ａ  給湯用水往きサーミスタ
２６ｂ  給湯用水戻りサーミスタ
２８  給水サーミスタ
３０  混合弁
３２  水道水供給源
３３  熱源機バイパス路
３４  バイパス弁
３６  第１給湯路
３６ａ  混合サーミスタ
３７  給湯加熱路
３７ａ  出湯サーミスタ
３８  給湯栓
３９  第２給湯路
３９ａ  給湯サーミスタ
４０  浴槽注湯路
４２  注湯電磁弁
５０  ヒートポンプ
５２  冷媒循環路
５４  空気熱交換器
５５  外気温サーミスタ
５６  ファン
５８  三流体熱交換器
６０  膨張弁
６２  圧縮機
７０  シスターン
７２  暖房往路
７２ａ  低温暖房サーミスタ
７３  第１暖房加熱路
７３ａ  高温暖房サーミスタ
７４  暖房用水循環ポンプ
７５  低温暖房循環路
７６  高温暖房機
７７  高温暖房循環路
７８  低温暖房機
７８ａ  暖房バイパス路
７８ｂ  バイパス弁
７９  追い焚き循環路
８１  給湯用バーナ
８２  暖房用バーナ
８３  追い焚き熱動弁
８４  第２暖房加熱路
８６  ＨＰバイパス路
８８  混合弁
９１  浴槽水循環路
９１ａ  浴槽水戻りサーミスタ
９１ｂ  浴槽水往きサーミスタ
９１ｃ  水位センサ
９６  暖房復路
９７  追い焚き熱交換器
９８  浴槽
９９  浴槽水循環ポンプ
１００  制御装置
【図１】
2014156987.tif 000003
【図２】
2014156987.tif 000004
【図３】
2014156987.tif 000005
【図４】
2014156987.tif 000006
【図５】
2014156987.tif 000007